(57)【特許請求の範囲】
【請求項１】
トラクタに装着される装着部を有する機枠体と、機枠体に設けられる砕土ロータと、砕土ロータの上方を覆う砕土ロータカバーとを有する砕土作業部を設けた砕土作業機において、砕土作業部の後方に位置し、砕土ロータカバー後端部に一端を上下方向回動自在に設けられた整地体を有し、整地体の左右端部には、砕土ロータ幅より左右方向に延長して設けた延長整地体が設けてあり、該延長整地体は、整地体端部と左右方向回動自在に連結されていて、整地体側上方へ回動され折畳まれた非作業姿勢と左右外側に回動展開された作業姿勢とに変更可能に設けてあり、該延長整地体の接地面は、凹状の直線溝が平面視において進行方向に対し前方から後方へ且つ外側から内側に向け傾斜して設けてあり、該凹状の直線溝は、平面に接地状態で延長整地体の前方から後方に連通する空間を有し、延長整地体の前方端開放空間と後方端開放空間が進行方向に対し重合しない角度に設けられていることを特徴とする砕土作業機の延長整地体。
【請求項２】
凹状の直線溝は断面逆Ｖ字状の直線溝で、断面形状は外側の勾配が大きく内側の勾配が小さく形成されていて、左右方向に複数設けられていることを特徴とする請求項１記載の砕土作業機の延長整地体。
【請求項３】
延長整地体と整地体とを連結して回動させる連結軸は、側面視で進行方向前方が高く後方が低く傾斜して設けられていることを特徴とする請求項１又は請求項２に記載の砕土作業機の延長整地体。
【発明の詳細な説明】
【技術分野】
【０００１】
本発明は、砕土ロータの後方に砕土された泥土を整地する整地体を備えた砕土作業機に関するもので、特に整地体の両側部に設けた延長整地体に関するものである。
【背景技術】
【０００２】
砕土作業機は、畑地で使用されるロータリー作業機や水田で使用される代掻き作業機等がある。これら砕土作業機の砕土部後方には、砕土された泥土を整地する整地体が設けられている。また該整地体本体には、耕耘幅より左右方向に延長して設けて整地する延長整地体が設けられているものがある。砕土作業機の延長整地体としては例えば、実開平０２−１１１２０４号公報（特許文献１）の「対地用延長板の取付装置」による「延長板４1を、前記整地板本体９、４３の側部で折畳み姿勢と延長姿勢とに変更自在にしたものにおいて、前記整地板本体９、４３のブラケット４５、４６に、前後方向の軸心廻りで回動自在として備えられ、該位置決め体５０には、延長姿勢にある延長板４１のブラケット４７、４８に対して前記連結体４９を中心とする回動を阻止する係合部５３と位置決め体５０の回動で前記延長板４１のブラケット４７、４８の回動を許容する回動許容部５４とを有していることを特徴とする対地用延長板の取付装置」が開示されている。
【０００３】
また、特開２００６−２１７８７７号公報（特許文献２）の「農作業機」は、「機体と、この機体に上下方向に回動可能に設けられた整地体と、この整地体の左右後方端部に上下方向に回動可能に設けられた延長整地体とを備え、前記延長整地体は圃場面に線状に接した状態で整地作業をすることを特徴とする農作業機」、また、「圃場面側に向かって凹状をなす複数の凹状部を有する」技術が開示されている。
【特許文献１】実開平０２−１１１２０４号公報
【特許文献２】特開２００６−２１７８７７号公報
【発明の開示】
【発明が解決しようとする課題】
【０００４】
砕土作業機における延長整地体は、砕土ロータの砕土爪によって耕耘された耕耘土又は泥土が、砕土作業機の進行にともない前方に押されて砕土ロータの前方の側方からはみ出した耕土又は泥土を均平にするための作用や隣接する耕耘終了部との段差を整地するためのものである。特に代掻き砕土装置においては精密な均平度が要求される。
【０００５】
前記特許文献１における従来の技術では、延長板の圃場接地面は平面又は円弧状面で接している。このため、前方に盛り上げられた泥土又は耕耘土を整地しようとした場合、土量が多いと砕土作業部側方から逃げてはみ出したものと同様に延長板（延長整地体）の側方に逃げて盛り上がる問題があった。
【０００６】
また、特許文献２における延長整地体は、圃場面側に向かって凹状をなす複数の凹状部によって泥土が側方に逃げにくくなっているが、後方側に圃場面に線状に接する左右方向に直線状の接地面を有していて、凹部後方が閉鎖された状態となっているため、凹状部に泥土が満杯状態となり許容しきれなくなると、従来と同様に側方からの逃げが発生する問題があった。さらに、前方の砕土作業部の側方から逃げて横にはみ出された泥土を横移動することがなくその場で押圧整地するため、その部分の土量密度が高くなり、精密な整地精度に問題があった。このため本発明の目的は、均平精度の良い砕土作業機の延長整地体を提供することにある。
【課題を解決するための手段】
【０００７】
上記課題を解決するために本発明は、トラクタに装着される装着部を有する機枠体と、機枠体に設けられる砕土ロータと、砕土ロータの上方を覆う砕土ロータカバーとを有する砕土作業部を設けた砕土作業機において、砕土作業部の後方に位置し、砕土ロータカバー後端部に一端を上下方向回動自在に設けられた整地体を有し、整地体の左右端部には、砕土ロータ幅より左右方向に延長して設けた延長整地体が設けてあり、該延長整地体は、整地体端部と左右方向回動自在に連結されていて、整地体側上方へ回動され折畳まれた非作業姿勢と左右外側に回動展開された作業姿勢とに変更可能に設けてあり、該延長整地体の接地面は、凹状の直線溝が平面視において進行方向に対し前方から後方へ且つ外側から内側に向け傾斜して設けてあり、
該凹状の直線溝は、平面に接地状態で延長整地体の前方から後方に連通する空間を有し、
延長整地体の前方端開放空間と後方端開放空間が進行方向に対し重合しない角度に設けられていることを特徴とする砕土作業機の延長整地体を提供する。
【０００８】
また、凹状の直線溝は断面逆Ｖ字状の直線溝で、断面形状は外側の勾配が大きく内側の勾配が小さく形成されていて、左右方向に複数設けられていることを特徴とした０００７欄記載の砕土作業機の延長整地体を提供する。
【０００９】
さらに、延長整地体と整地体とを連結して回動させる連結軸は、側面視で進行方向前方が高く、後方が低く傾斜して設けられていることを特徴とした０００７、０００８欄のいずれかに記載の砕土作業機の延長整地体を提供する。
【発明の効果】
【００１０】
以上のように本発明の延長整地体の接地面は凹状直線溝が、平面視において進行方向に対し前方から後方へ且つ外側から内側に向け傾斜して設けてあるので、砕土作業部から側方に逃げた泥土や段差部の耕土を延長作業体の側方に逃がさないとともに進行にともない内側に戻し後方端で拡散し整地する。その効果は特に水田での代掻き作業時において泥水とともに泥土が延長作業体の側方に逃げず砕土作業機の内側へ凹状直線溝の整流効果により容易に導くことができるので大いに整地効果を高められる。
【００１１】
また、請求項２の発明による断面逆Ｖ字状の直線溝は、平面に接地状態で前方から後方に連通する空間を有しているため、泥土が溝部に停滞することがなく、後方に送られるとともに後端部で分散されて内方へ戻されるため整地作用が大きい。さらに直線溝の断面形状は外側の勾配が大きく内側の勾配が小さく形成されていて左右方向に複数設けられているので、外側の勾配の大きい部分で内側からの泥土の移動を阻止または角度を調整することで逃げ量を調整することができ、溝本数を調節することで戻し土量を調節可能であり、精度の高い整地作用を得ることができる。水田での代掻き作業時においても、泥水および泥土がその勾配によって延長作業体のより内側へと導かれ、さらに前方から後方へ連通した空間部の作用の相乗効果により砕土作業機の内側に戻す効果をより高め、精度の良い整地効果が得られる。
【００１２】
さらに、請求項３の発明は、整地土量が多い場合、延長整地体は整地体本体との連結部である連結軸を中心に上方へ回動されようとするが、この場合側面視で進行方向前方が高く後方が低く傾斜して連結軸が設けられているため、延長整地体の前方側が比較的大きく回動し後方側が小さく回動する動作となり、回動することで延長整地体は側面視で前方が高く後方が低く傾斜した状態となり、整地泥土が前方から後方へ行くに従い徐々に押圧され後方への土の逃げ量を規制することができ整地効果が大きい。
【発明を実施するための最良の形態】
【００１３】
以下、本発明の実施例を図面に基づいて説明する。図１は本発明を実施した砕土作業機の作業時の側面図、図２は本発明を実施した砕土作業機の平面図、図３は左側延長整地体の拡大平面図、図４は左側延長整地体単体の平面図、図５は延長整地体の側面図、図６は延長整地体の図４に示したＡ矢視図である。
【００１４】
本発明の実施例を砕土作業機である代掻き作業機で実施した場合について説明する。図示していないトラクタ側の左右一対のロワ−リンクと、図示していない中央上方に設けたトップリンクとからなる３点リンクヒッチ機構に、これらを定型化する連結枠１（クイックカプラー又はオートヒッチと称される）を前記ロワーリンクに連結枠１の下方に左右対称に設けたロワプレート３の水平方向のロワーリンクピン４と前記トップリンクに連結枠１の上部に水平方向に設けたトップリンクピン１１をそれぞれ挿入して取り付け、砕土作業機Ｍの前方に設けた左右一対のロワ−ピン１９と同じく中央上方に設けたトップマスト２前端部に設けたアッパーピン１８に前記連結枠１の上下それぞれの係合部である後方に向けたフック部を係合させ連結する。
【００１５】
連結手順は、先ず連結枠１上方のトップフック２１をトップマスト２前方に設けられたアッパーピン１８に係合させ、トラクタの３点リンク機構を上昇させこれに取り付けた連結枠１を上昇させると、前記砕土作業機Ｍ側のロワ−ピン１９が連結枠１側に引き寄せられ連結枠１の下部の係合部と係合し連結される。下部の係合部は、連結枠１に設けたフック８をロワ−ピン１９に引掛け外れ防止をする。
【００１６】
砕土作業機Ｍの機枠体は、中央上方の前方に突設したトップマスト２と、トップマスト２が取付けられているギヤボックス２３と、ギヤボックス２３から左右方向に延設されているパイプ材で構成されたパイプフレーム２２と、パイプフレーム２２の左右端部に固着され下方の砕土作業部１０を保持するサイドプレート２０と、左右のパイプフレーム２２から前方に突設し前端部に前記ロワーピン１９を設けたロワーピンプレート２ａにより構成されている。
【００１７】
砕土作業機Ｍの中央水平方向前方に突設させて設けた入力軸５は、図示していないトラクタのＰＴＯ軸と図示していないユニバーサルジョイントで連結され、トラクタの回転動力を砕土作業機Ｍ側に入力するためのものである。入力軸５に入力された回転動力は、左右中央部の入力軸５を突設して設けたギヤボックス２３に入力され、該ギヤボックス２３から左右水平方向に延設したパイプフレーム２２内の図示していない伝動シャフトにより左右方向いずれか側方側に設けたチェーン伝動ケース６に伝達され、該チェーン伝動ケース６に内装されていて上下方向に巻架された図示していないチェーンにより下方の砕土ロータ１２を駆動する。
【００１８】
砕土ロータ１２は、回転軸２８に側面視放射状に左右方向に亘って砕土爪２７が配置されていて、土中又は泥土中で回転させ砕土するものである。砕土ロータ１２上方部は、土及び泥土の飛散防止や土及び泥土の持ち回り作用を行うための砕土ロータカバー９が設けてあり、砕土ロータ１２後方には、砕土された土及び泥土を受けるとともに、泥土を均平にしていく整地体１４が、砕土ロータカバー９後端に左右水平方向に設けた回動軸を回動支点として上下に回動しながら設けている。
【００１９】
整地体１４は、前記砕土ロータカバー９の後端に水平方向の第1整地体回動軸１７により上下回動自在に設けた第1整地体１４ａと、該第1整地体１４ａ後端に水平方向の第２整地体回動軸１３により上下回動自在に設けた第２整地体１４ｂにより構成されていて、砕土ロータ１２で砕土された土及び泥土を鎮圧均平するものである。整地体１４の姿勢切替は、整地体１４に連動連結されトップマスト２部分に設けた整地体操作レバー７の操作により行い、整地体１４は通常作業の整地姿勢と整地体１４を下方に垂れ下げて固定した状態の土引き作業姿勢に切換できる。
【００２０】
第２整地体１４ｂ左右端部には、延長整地体１５が設けてあり、該延長整地体は左側延長整地体１５Ｌと右側延長整地体１５Ｒにより構成されていて、整地体側上方へ回動され折畳まれた非作業姿勢と左右外側に回動展開された作業姿勢とに変更可能に設けられている。
【００２１】
延長整地体１５と第２整地体１４ｂの連結部は、Ｕ字状の金具が双方に設けられていて、延長整地体１５側のＵ字状金具２５ａには側面視で進行方向前方が高く後方が低く前後方向に傾斜して設けられた前後に分割されて前方連結軸２６ａと後方連結軸２６ｂにより構成されている連結軸２６が設けられ、第２整地体１４ｂのＵ字状金具２５ｂに嵌合孔が設けてあり、連結軸２６を挿入し抜け止めピン１５ａを連結軸２６に差込み抜け止めが施され構成されている。
【００２２】
また、延長整地体１５の回動部には、第２整地体１４ｂと延長整地体１５とに掛け渡されたコイルスプリング２４が設けてあり、延長整地体１５が回動することにより連結軸２６を支点として支点越えをして回動方向に付勢するように取付けられていて、整地体側上方へ回動され折畳まれた非作業姿勢と左右外側に回動展開された作業姿勢とに保持する方向に付勢作用する。
【００２３】
延長整地体１５の接地面１５ｃには、凹状の直線溝１５ｂが平面視において進行方向に対し前方から後方へ且つ外側から内側に向け傾斜して設けてある。傾斜角度は、延長整地体１５の直線溝１５ｂ前方端空間と後方端空間が進行方向に対し重合しない程度の角度に設定すると泥土の整流効果や戻し効果が大きくなる。
【００２４】
図６は延長整地体１５の図４に示すＡ矢視を図示したもので、直線溝１５ｂの形状の一例を図示したものである。直線溝１５ｂは断面が逆Ｖ字状で、延長整地体１５の外側の勾配が大きく内側の勾配が小さく形成された外側斜面１５ｄと内側斜面１５ｅとで構成され、勾配が大きい外側斜面１５ｄにより泥土の外側への逃げを阻止するように作用させる。勾配の角度を変化させることや、溝の深さを調整することで整地作用を調整することができる。また、溝の本数を変化させることでも調整可能である。
【００２５】
凹状の直線溝１５ｂは、延長整地体１５前方端から後方端に連通する空間２９を有していて、前方端から後方端に至る間において同一の断面で構成されていてもよいが、滑らかに変化させても良い。延長整地体１５前方端部は、進行方向に傾斜して立ち上げられていて前方に盛り上げられた泥土を延長整地体１５下方に誘導する。誘導された泥土は延長整地体１５の自重と前記回動部に設けたコイルスプリング２４の付勢力により押圧されるとともに、直線溝１５ｂにより誘導される。誘導された泥土が多い場合、延長整地体１５の回動する連結軸２６は側面視で進行方向前方が高く後方が低く前後方向に傾斜して設けられているため、連結軸２６を中心に延長整地体１５が回動すると、接地面が前方が高く後方が低い状態となり、泥土が後方に移動するに従い徐々に押圧され土の逃げ量を規制することができる。延長整地体１５は、図２に示すように左右対称に設けてあるため他方の説明は省略する。
【００２６】
本発明の延長整地体１５は、畑地や水田の耕耘に使用するロータリー作業機や水田で使用される代掻き作業機に使用されることで整地性能が向上する。
【図面の簡単な説明】
【００２７】
【図１】本発明を実施した砕土作業機の側面図、
【図２】本発明を実施した砕土作業機の平面図、
【図３】左側延長整地体の拡大平面図、
【図４】左側延長整地体単体の平面図、
【図５】延長整地体の側面図、
【図６】延長整地体の図４に示したＡ矢視図、
【符号の説明】
【００２８】
１  連結枠
２  トップマスト
２ａ  ロアピンプレート
３  ロワ−プレート
４  ロワーリンクピン
５  入力軸
６  チェーン伝動ケース
７  整地体操作レバー
８  フック
９  砕土ロータカバー
１０  砕土作業部
１１  トップリンクピン
１２  砕土ロータ
１３  第２整地体回動軸
１４  整地体
１４ａ  第1整地体
１４ｂ  第２整地体
１５  延長整地体
１５Ｌ  左側延長整地体
１５Ｒ  右側延長整地体
１５ａ  抜け止めピン
１５ｂ  直線溝
１５ｃ  接地面
１５ｄ  外側斜面
１５ｅ  内側斜面
１７  第１整地体回動軸
１８  アッパーピン
１９  ロワ−ピン
２０  サイドプレート
２１  トップフック
２２  パイプフレーム
２３  ギヤボックス
２４  コイルスプリング
２５ａ，２５ｂ  Ｕ字状金具
２６  連結軸
２６ａ  前方連結軸
２６ｂ  後方連結軸
２７  砕土爪
２８  回転軸
２９  空間
Ｍ    砕土作業機
【図１】
0005055527.tif 000002
【図２】
0005055527.tif 000003
【図３】
0005055527.tif 000004
【図４】
0005055527.tif 000005
【図５】
0005055527.tif 000006
【図６】
0005055527.tif 000007